(57)【要約】【課題】コンテンツデータを属性に基づいて分類し、分類項目ごとに適するコンテンツデータを選択して一覧表示する表示画像を生成することが可能な情報処理装置及び記憶媒体を提案する。【解決手段】第１の属性に基づきコンテンツデータを複数の分類項目のいずれかに分類する分類部と、前記分類部により分類された前記コンテンツデータに対し、前記分類項目ごとに第２の属性に基づいて優先度を決定する優先度決定部と、第３の属性に基づいて前記優先度決定部により決定された優先度に従い前記分類項目ごとにひとつの前記コンテンツデータを選択する選択部と、前記選択部により選択されたコンテンツデータに対応するシンボル画像を、前記第１の属性に応じたレイアウトで前記分類項目ごとに配置した表示画像を生成する生成部と、を備える情報処理装置。【選択図】図１
2014157390.tif 000002
【特許請求の範囲】
【請求項１】
第１の属性に基づきコンテンツデータを複数の分類項目のいずれかに分類する分類部と、
前記分類部により分類された前記コンテンツデータに対し、前記分類項目ごとに第２の属性に基づいて優先度を決定する優先度決定部と、
第３の属性に基づいて前記優先度決定部により決定された優先度に従い前記分類項目ごとにひとつの前記コンテンツデータを選択する選択部と、
前記選択部により選択されたコンテンツデータに対応するシンボル画像を、前記第１の属性に応じたレイアウトで前記分類項目ごとに配置した表示画像を生成する生成部と、
を備える情報処理装置。
【請求項２】
前記情報処理装置は入力部をさらに備え、
前記選択部は、前記入力部が前記第３の属性の属性値を変更する入力を受け付けた場合、変更後の前記第３の属性の属性値に基づいて前記優先度に従い前記分類項目ごとにひとつの前記コンテンツデータを再度選択し、
前記生成部は、前記選択部により再度選択された前記コンテンツデータを用いて前記表示画像を再度生成する、請求項１に記載の情報処理装置。
【請求項３】
前記第１の属性は位置情報であり、
前記生成部は、地図を示す背景画像上の前記コンテンツデータが取得された位置に対応する位置に前記シンボル画像を配置した表示画像を生成する、請求項１に記載の情報処理装置。
【請求項４】
前記生成部は、前記コンテンツデータがひとつも分類されていない前記分類項目については何らシンボル画像を配置しない、請求項１に記載の情報処理装置。
【請求項５】
前記選択部は、前記第３の属性に基づいて前記優先度が閾値より高いコンテンツデータからひとつの前記コンテンツデータを選択する、請求項１に記載の情報処理装置。
【請求項６】
前記生成部は、前記優先度が前記閾値より高いコンテンツデータが分類されていない前記分類項目については、該当するコンテンツデータが存在しないことを示す前記シンボル画像を配置する、請求項５に記載の情報処理装置。
【請求項７】
前記生成部は、前記第３の属性の属性値に対応するコンテンツデータが分類されていない前記分類項目については、該当するコンテンツデータが存在しないことを示す前記シンボル画像を配置する、請求項１に記載の情報処理装置。
【請求項８】
前記情報処理装置は入力部をさらに備え、
前記選択部は、前記入力部がひとつの前記コンテンツデータについて前記第３の属性の属性値を変更する入力を受け付けた場合、当該コンテンツデータが属する前記分類項目に分類された前記コンテンツデータから変更された前記第３の属性の属性値に基づいて前記優先度に従いひとつの前記コンテンツデータを再度選択し、
前記生成部は、前記選択部により再度選択された前記コンテンツデータを用いて前記表示画像を再度生成する、請求項１に記載の情報処理装置。
【請求項９】
前記情報処理装置は、前記コンテンツデータに対して閲覧禁止を設定する設定部をさらに備え、
前記生成部は、前記選択部により選択された前記コンテンツデータが閲覧禁止である場合、前記表示画像に配置された当該コンテンツデータに対応するシンボル画像の代わりに当該コンテンツデータが閲覧禁止であることを示すシンボル画像を配置する、請求項１に記載の情報処理装置。
【請求項１０】
前記第１の属性は時間であり、
前記生成部は、カレンダーを示す背景画像上の前記コンテンツデータが取得された日付に対応する位置に前記シンボル画像を配置した表示画像を生成する、請求項１に記載の情報処理装置。
【請求項１１】
前記第１の属性は時間であり、
前記生成部は、時計の文字盤を示す背景画像上の前記コンテンツデータが取得された時間に対応する位置に前記シンボル画像を配置した表示画像を生成する、請求項１に記載の情報処理装置。
【請求項１２】
前記第２の属性はキーワードであり、
前記優先度決定部は、前記コンテンツデータに関連付けられたキーワードに基づいて前記優先度を決定する、請求項１に記載の情報処理装置。
【請求項１３】
前記第３の属性は時間であり、
前記選択部は、前記第３の属性の属性値が示す時刻または時刻付近に取得された前記コンテンツデータを、前記分類項目ごとに前記優先度に従い選択する、請求項１に記載の情報処理装置。
【請求項１４】
前記第３の属性は画像の特徴量であり、
前記選択部は、前記第３の属性の属性値が示す特徴量を有する前記コンテンツデータを、前記分類項目ごとに前記優先度に従い選択する、請求項１に記載の情報処理装置。
【請求項１５】
コンピュータに、
第１の属性に基づきコンテンツデータを複数の分類項目のいずれかに分類するステップと、
分類された前記コンテンツデータに対し、前記分類項目ごとに第２の属性に基づいて優先度を決定するステップと、
第３の属性に基づいて前記優先度に従い前記分類項目ごとにひとつの前記コンテンツデータを選択するステップと、
選択されたコンテンツデータに対応するシンボル画像を、前記第１の属性に応じたレイアウトで前記分類項目ごとに配置した表示画像を生成するステップと、
を実行させるためのプログラムが記憶された記憶媒体。
【発明の詳細な説明】
【技術分野】
【０００１】
本開示は、情報処理装置及び記憶媒体に関する。
【背景技術】
【０００２】
従来、ユーザは、デジタルカメラ等により撮りためた静止画像や動画像等の画像を、撮像日時順に一覧表示させ、所望の画像にアクセスしていた。しかし、近年ではカメラ機能を有する端末の普及や記憶容量の増加に伴い撮像量が膨大になりつつあるため、大量の画像の中から撮像日時のみを頼りに所望の画像にアクセスすることが困難な傾向にある。自分の身に装着して一日のあらゆる行動を撮影し続けるライフログカメラにおいては、能動的に撮像する場合とは異なり撮像日時に無自覚であるため、このような傾向は特に顕著である。そこで、大量の画像の中から所望の画像に容易にアクセス可能なユーザインターフェースを提供する技術が開発されてきている。
【０００３】
例えば、下記特許文献１では、写真が休日や誕生日などの定期的または周期的なタイミングで撮像されることに着目し、年、月、曜日等から選択した２つの分類軸から成る２次元の分類平面上に、写真を分類項目ごとに分布・表示する技術が開示されている。
【０００４】
また、下記特許文献２では、場所、時間、動物等から選択した２つのパラメータで写真を検索し、選択した２つのパラメータに対応する２つの分類軸から成る２次元の分類平面上に、検索した写真を分類項目ごとに表示する技術が開示されている。
【先行技術文献】
【特許文献】
【０００５】
【特許文献１】特開２００７−１２２４３１号公報
【特許文献２】特開２０１０−２５０４４８号公報
【発明の概要】
【発明が解決しようとする課題】
【０００６】
上述したように、カメラ機能を有する端末の普及や記憶容量の増加に伴い撮像量が膨大になりつつある今日、所望の画像に容易にアクセスする技術のさらなる性能向上が望まれている。
【０００７】
そこで、本開示では、コンテンツデータを属性に基づいて分類し、分類項目ごとに適するコンテンツデータを選択して一覧表示する表示画像を生成することが可能な、新規かつ改良された情報処理装置及び記憶媒体を提案する。
【課題を解決するための手段】
【０００８】
本開示によれば、第１の属性に基づきコンテンツデータを複数の分類項目のいずれかに分類する分類部と、前記分類部により分類された前記コンテンツデータに対し、前記分類項目ごとに第２の属性に基づいて優先度を決定する優先度決定部と、第３の属性に基づいて前記優先度決定部により決定された優先度に従い前記分類項目ごとにひとつの前記コンテンツデータを選択する選択部と、前記選択部により選択されたコンテンツデータに対応するシンボル画像を、前記第１の属性に応じたレイアウトで前記分類項目ごとに配置した表示画像を生成する生成部と、を備える情報処理装置が提供される。
【０００９】
また、本開示によれば、コンピュータに、第１の属性に基づきコンテンツデータを複数の分類項目のいずれかに分類するステップと、分類された前記コンテンツデータに対し、前記分類項目ごとに第２の属性に基づいて優先度を決定するステップと、第３の属性に基づいて前記優先度に従い前記分類項目ごとにひとつの前記コンテンツデータを選択するステップと、選択されたコンテンツデータに対応するシンボル画像を、前記第１の属性に応じたレイアウトで前記分類項目ごとに配置した表示画像を生成するステップと、を実行させるためのプログラムが記憶された記憶媒体が提供される。
【発明の効果】
【００１０】
以上説明したように本開示によれば、コンテンツデータを属性に基づいて分類し、分類ごとに適するコンテンツデータを選択して一覧表示する表示画像を生成することが可能である。
【図面の簡単な説明】
【００１１】
【図１】本開示の一実施形態に係る情報処理装置の概要を説明するための図である。
【図２】本開示の一実施形態に係る情報処理装置が一覧表示画面を生成するアルゴリズムを説明するための図である。
【図３】本開示の一実施形態に係るタブレット端末の構成を示すブロック図である。
【図４】本開示の一実施形態に係るタブレット端末の動作の概要を示す図である。
【図５】本開示の一実施形態に係るタブレット端末の一覧表示画面の一例を示す図である。
【図６】本開示の一実施形態に係るタブレット端末の動作を示すフローチャートである。
【図７】本開示の一実施形態に係るタブレット端末の動作を示すフローチャートである。
【図８】本開示の一実施形態に係るタブレット端末の動作を示すフローチャートである。
【図９】本開示の一実施形態に係るタブレット端末の動作を示すフローチャートである。
【図１０】本開示の一実施形態に係るタブレット端末の動作を示すフローチャートである。
【図１１】本開示の一実施形態に係るタブレット端末の検索範囲入力画面の一例である。
【図１２】本開示の一実施形態に係るタブレット端末の属性入力画面の一例を示す図である。
【図１３】本開示の一実施形態に係るタブレット端末の属性入力画面の一例を示す図である。
【図１４】本開示の一実施形態に係るタブレット端末の詳細表示画面の一例を示す図である。
【図１５】適用例１に係るタブレット端末の一覧表示画面の一例を示す図である。
【図１６】適用例２に係るタブレット端末の一覧表示画面の一例を示す図である。
【図１７】適用例３に係るタブレット端末の一覧表示画面の一例を示す図である。
【図１８】適用例４に係るタブレット端末の一覧表示画面の一例を示す図である。
【発明を実施するための形態】
【００１２】
以下に添付図面を参照しながら、本開示の好適な実施の形態について詳細に説明する。なお、本明細書及び図面において、実質的に同一の機能構成を有する構成要素については、同一の符号を付することにより重複説明を省略する。
【００１３】
なお、説明は以下の順序で行うものとする。
１．本開示の一実施形態に係る情報処理装置の概要
２．本開示の一実施形態
２−１．タブレット端末の構成
２−２．動作処理
２−３．適用例
３．まとめ
【００１４】
＜１．本開示の一実施形態に係る情報処理装置の概要＞
図１、２を参照して、本開示の一実施形態に係る情報処理装置の概要を説明する。図１は、本開示の一実施形態に係る情報処理装置の概要を説明するための図である。図１に示すように、本実施形態に係る情報処理装置は、一例としてタブレット端末１により実現される。
【００１５】
タブレット端末１は、表示部１０および入力部２０を有し、表示部１０によりユーザに対して画像表示を行う。タブレット端末１は、図示しない撮像部により撮像した、又はライフログカメラ等の情報処理装置から取得した静止画像や動画像等の画像（コンテンツデータ）を大量に記憶し得る。そして、タブレット端末１は、大量の画像の中から選択した画像を示すサムネイル（シンボル画像）を、図１に示すように一度に複数表示する表示画像を、一覧表示画面１０−１として表示することができる。
【００１６】
一覧表示画面１０−１は、２０１２年８月１日０時０分０秒から２０１２年８月３１日２４時０分０秒までに撮像された画像のうち、人物を含む画像であって、１２時付近に撮像された画像のサムネイルを日毎にひとつ、カレンダー状に一覧表示するものである。ユーザは、一覧表示画面１０−１に含まれるサムネイルを入力部２０により選択することで、そのサムネイルに対応する画像にアクセスすることができる。
【００１７】
なお、図１に示すように、タブレット端末１は、ユーザにより閲覧禁止が設定された画像については、８月３日のように、「Ｆｏｒｂｉｄｄｅｎ閲覧禁止」と記載されたサムネイルを表示する。また、タブレット端末１は、指定した時刻に撮像された人物を含む画像がない場合に、８月６日や１１日のように、「Ｎ／Ａ存在しません」と記載されたサムネイルを表示する。また、タブレット端末１は、その日に撮像された画像がない場合に、８月９日や１０日のように、空欄とする。
【００１８】
ここで一例として、ユーザが、ある人物の画像にアクセスしたいと所望しており、その画像を撮像した時刻は１２時付近であったと覚えているが、日付は忘れてしまった、という場面を想定する。このような場面では、一覧表示画面１０−１には人物が含まれる画像であって、１２時付近に撮像された画像を示すサムネイルがカレンダー状に一覧表示されるため、ユーザは、一覧表示されたサムネイルの中から所望の画像に容易にアクセスすることができる。
【００１９】
ユーザは、このような一覧表示画面１０−１を表示部１０に表示させるために、複数の条件を指定する。より詳しくは、まず、第１の属性、第２の属性、および第３の属性を指定する。第１の属性とは、画像を複数のグループ（分類項目）に分類するための基準であり、第２の属性とは、各グループに分類された画像の優先度を決定するための基準であり、第３の属性とは、サムネイル表示する画像を選択するための基準である。図１に示した例では、ユーザは、第１の属性として時間「日単位」を指定し、第２の属性としてタグ「人物」を指定し、第３の属性として「時間」を指定している。
【００２０】
そして、ユーザは、第３の属性の属性値を指定することで、属性値に応じたサムネイルが配置された一覧表示画面を表示部１０に表示させることができる。第３の属性の属性値とは、第３の属性の具体的な内容である。図１に示した例では、第３の属性の属性値は撮像時刻である。ユーザは、時刻に対応するバーにおける操作部２３の位置を操作することで時刻を指定することができ、図１に示した例では１２時を指定している。なお、ユーザは、ＰＲＥＶキー２１またはＮＥＸＴキー２２を操作することで、操作部２３の位置をバーの左右に移動させて、指定する時刻を前後に変更することもできる。以下、図２を参照して、タブレット端末１が一覧表示画面１０−１を生成するアルゴリズムについて説明する。
【００２１】
図２は、本開示の一実施形態に係る情報処理装置が一覧表示画面１０−１を生成するアルゴリズムを説明するための図である。図２に示すように、タブレット端末１は、３つのステップを含むアルゴリズムにより、一覧表示画面１０−１を生成する。なお、タブレット端末１は、２０１２年８月１日から２０１２年８月３１日までに撮像された約１か月分の画像を対象として、図１に示した一覧表示画面１０−１を生成するものとする。
【００２２】
図２に示すように、まず、ステップＳ１で、タブレット端末１は、第１の属性に基づいて、約１か月分の画像を日単位で、即ち８月１日、８月２日、・・・、８月３１日の複数のグループのいずれかに分類する。
【００２３】
次に、ステップＳ２で、タブレット端末１は、第２の属性に基づいて、各グループに分類された画像に対し、人物が含まれる画像に対して高い優先度を決定する。より詳しくは、タブレット端末１は、グループごとに、キーワード「人物」がタグ付けされた（関連付けられた）画像に高い優先度を決定する。なお、画像には、人物、動物、植物等の画像の内容を示すキーワードがタグ付けされている。また、タブレット端末１は、キーワード「人物」を示すタグが付されていない画像については、低い優先度を決定する。
【００２４】
次いで、ステップＳ３で、タブレット端末１は、第３の属性に基づいて、指定された１２時付近に撮像された画像を、優先度に従いグループごとにひとつ選択する。より詳しくは、タブレット端末１は、人物のタグが付された画像の中で、１２時付近に撮像された画像を、８月１日、８月２日、・・・、８月３１日ごとにひとつ選択する。
【００２５】
そして、タブレット端末１は、このようなアルゴリズムに従い日毎にひとつ選択した画像に対応するサムネイルを、第１の属性である時間「日単位」応じたレイアウトであるカレンダー状に配置した一覧表示画面１０−１を生成する。その後、タブレット端末１は一覧表示画面１０−１を表示部１０に表示する。
【００２６】
以上、タブレット端末１が図１に示した一覧表示画面１０−１を生成するアルゴリズムについて説明した。
【００２７】
上述したように、上記特許文献では、２つのパラメータまたは分類軸によって画像を分類し分類項目ごとに画像を表示することが開示されている。しかし、分類項目ごとに適する画像を選択的に表示することについては何ら言及されていなかった。これに対し、本開示の一実施形態にかかる情報処理装置は、分類項目ごとに優先度が高く、第３の属性の属性値に応じた、ユーザが所望する画像である確率が高い画像を選択的に一覧表示することができる。このため、ユーザは、一覧表示されたサムネイルの中から所望の画像を一目で見つけ出すことができる。
【００２８】
また、本開示の一実施形態にかかる情報処理装置は、第１の属性に応じたレイアウトで分類項目ごとにサムネイルを表示するため、ユーザは第１の属性に応じたレイアウトに沿って記憶を辿りながら所望の画像を探すことができる。例えば、図１に示した例では、タブレット端末１はサムネイルをカレンダー状に配置するため、ユーザは、サムネイルを閲覧しながら、撮像した日が何曜日だったか、または前後の日にどんな行動をしたか等を思い出しながら所望の画像を探すことができる。
【００２９】
さらに、本開示の一実施形態にかかる情報処理装置は、ユーザ操作に応じて全てのサムネイルを一度に切り替えることも可能である。このため、ユーザは、所望の画像が一覧表示画面１０−１に含まれていない場合であっても、全てのサムネイルを一度に切り替えながら、所望の画像を容易に探し出すことができる。
【００３０】
例えば、図１に示した一覧表示画面１０−１に含まれるサムネイルの中に、ユーザが所望する画像が無い場合を想定する。このような場合、ユーザは、図１に示した操作部２３、ＰＲＥＶキー２１またはＮＥＸＴキー２２を操作することで、第３の属性の属性値として指定する時刻を前後に変更し、サムネイルの一覧を更新することができる。このとき、８月１日から８月３１日までの全てのサムネイルが、変更後の時刻に撮像された画像のサムネイルに更新される。このため、ユーザは、一覧表示画面１０−１に所望の画像が無い場合であっても、指定する時刻を前後に変更してサムネイルの一覧を更新しながら、所望の画像を探し出すことができる。また、更新後の一覧表示画面には、優先度が低い画像や指定した時刻に撮像されていない画像、即ちユーザが所望する画像である確率が低いサムネイルは含まれない。従って、ユーザは、大量の画像の全てを見ることなく、ユーザが所望する画像である確率が高いサムネイルを順次確認しながら、所望の画像を探すことができる。
【００３１】
以上、本開示の一実施形態に係る情報処理装置の概要について説明した。続いて、本開示の一実施形態に係る情報処理装置の詳細な内容について説明する。
【００３２】
なお、図１に示した例では、情報処理装置の一例としてタブレット端末１を用いたが、本開示に係る情報処理装置はこれに限定されない。例えば、情報処理装置は、ＨＭＤ（Ｈｅａｄ  Ｍｏｕｎｔｅｄ  Ｄｉｓｐｌａｙ）、デジタルカメラ、デジタルビデオカメラ、ＰＤＡ（Ｐｅｒｓｏｎａｌ  Ｄｉｇｉｔａｌ  Ａｓｓｉｓｔａｎｔｓ）、ＰＣ（Ｐｅｒｓｏｎａｌ  Ｃｏｍｐｕｔｅｒ）、ノートＰＣ、スマートフォン、携帯電話端末、携帯用音楽再生装置、携帯用映像処理装置または携帯用ゲーム機器等であってもよい。
【００３３】
＜２．本開示の一実施形態＞
［２−１．タブレット端末の構成］
まず、図３を参照して、本実施形態に係るタブレット端末１の構成について説明する。図３は、本開示の一実施形態に係るタブレット端末１の構成を示すブロック図である。図３に示すように、タブレット端末１は、表示部１０、入力部２０、記憶部３０、および制御部４０を有する。以下、タブレット端末１の各構成要素について詳細に説明する。
【００３４】
（表示部）
表示部１０は、制御部４０による制御に基づいて画像を表示する。表示部１０は、後述する生成部４５により生成された画像を表示する。表示部１０は、例えばＬＣＤ（Ｌｉｑｕｉｄ  Ｃｒｙｓｔａｌ  Ｄｉｓｐｌａｙ）またはＯＬＥＤ（Ｏｒｇａｎｉｃ  Ｌｉｇｈｔ−Ｅｍｉｔｔｉｎｇ  Ｄｉｏｄｅ）などにより実現される。
【００３５】
（入力部）
入力部２０は、ユーザによる入力を受け付ける機能を有する。入力部２０は、第１の属性の指定、第２の属性の指定、第３の属性の指定、第３の属性の属性値の指定または変更などを指示する入力を受け付ける。図１に示した例においては、入力部２０は、ユーザによる操作部２３、ＰＲＥＶキー２１またはＮＥＸＴキー２２の操作による第３の属性の属性値を指定する入力を受け付ける。他にも、入力部２０は、画像にアクセスするためのサムネイルの選択、または閲覧禁止の設定等を受け付ける。入力部２０は、例えば、表示部１０と一体的に形成されるタッチパネル、ボタン、音声入力のためのマイクロフォン等により実現される。
【００３６】
（記憶部）
記憶部３０は、図示しない撮像部により撮像した、又は他のＰＣ等の情報処理装置から取得した画像を記憶する。記憶部３０は、画像をＥＸＩＦ（Ｅｘｃｈａｎｇｅａｂｌｅ  ｉｍａｇｅ  ｆｉｌｅ  ｆｏｒｍａｔ）ファイルと共に記憶する。ＥＸＩＦファイルは、例えば、撮像日時や撮像場所、撮像条件を示す情報を格納する。また、記憶部３０は、人物、動物、植物等の画像の内容を示すタグや閲覧禁止の設定などを含む設定情報を、画像と関連付けられた属性ファイルに記憶する。なお、設定情報は、後述の設定部４１により設定される。記憶部３０は、設定情報をＥＸＩＦファイルに内蔵させることで、画像に関連付けて記憶してもよい。画像の内容を示すタグは、制御部４０による画像解析処理により自動的に設定されてもよいし、ユーザにより設定されてもよい。他にも、タグは、撮像時におけるマーキングにより設定されてもよい。記憶部３０は、例えばハードディスクなどの磁気記録媒体や、フラッシュメモリなどの不揮発性メモリにより実現される。
【００３７】
（制御部）
制御部４０は、演算処理装置および制御装置として機能し、各種プログラムに従ってタブレット端末１内の動作全般を制御する。制御部４０は、例えばＣＰＵ（Ｃｅｎｔｒａｌ  Ｐｒｏｃｅｓｓｉｎｇ  Ｕｎｉｔ）、マイクロプロセッサによって実現される。なお、制御部４０は、使用するプログラムや演算パラメータ等を記憶するＲＯＭ（Ｒｅａｄ  Ｏｎｌｙ  Ｍｅｍｏｒｙ）、および適宜変化するパラメータ等を一時記憶するＲＡＭ（Ｒａｎｄｏｍ  Ａｃｃｅｓｓ  Ｍｅｍｏｒｙ）を含んでいてもよい。
【００３８】
本実施形態に係る制御部４０は、第１の属性、第２の属性、および第３の属性に基づいて選択された画像を、第１の属性に応じたレイアウトで配置した一覧表示画面を生成する。また、制御部４０は、設定部４１、分類部４２、優先度決定部４３、選択部４４、および生成部４５として機能する。
【００３９】
・設定部
設定部４１は、記憶部３０に記憶された画像に対して、閲覧禁止を設定する。他にも、設定部４１は、記憶部３０に記憶された画像に対して、画像の内容を示すキーワードをタグとして設定する。設定部４１は、入力部２０が受け付けたユーザ入力に基づいて閲覧禁止またはタグを設定してもよいし、画像解析処理により自動的に設定してもよい。
【００４０】
・分類部
分類部４２は、第１の属性に基づいて、画像を複数のグループのいずれかに分類する。第１の属性は、上述したように画像を分類するための基準であり、単位ごとに繰り返す性質を有する。第１の属性としては、例えば、図１に示した日単位の他に、週単位、月単位、年単位、平日単位、休日単位などがある。第１の属性が時間に関係する場合、分類部４２は、撮像日時に基づいて分類を行う。他にも、第１の属性としては、５００メートル四方、１キロメートル四方等の地理的範囲を示す単位がある。第１の属性が地理的範囲に関係する場合、分類部４２は、撮像場所に基づいて分類を行う。
【００４１】
・優先度決定部
優先度決定部４３は、分類部４２により分類された画像に対し、グループごとに第２の属性に基づいて優先度を決定する。第２の属性は、上述したように各グループに分類された画像の優先度を決定するための基準である。第２の属性としては、図１に示したように、例えばタグ「人物」のようなキーワードがあり、優先度決定部４３は、画像に関連付けられたキーワードに基づいて優先度を決定する。例えば、優先度決定部４３は、第２の属性として指定された「人物」「動物」または「植物」などのキーワードがタグ付けされた画像に高い優先度を決定し、指定されたキーワードがタグ付けされていない画像に低い優先度を決定する。他にも、第２の属性としては、例えば画像の特徴量がある。第２の属性が画像の特徴量である場合、優先度決定部４３は、指定された特徴量に応じて優先度を決定する。例えば、第２の属性が特徴量「黄色」である場合、優先度決定部４３は、黄色の画素を多く含む画像に高い優先度を決定し、少ない画像には低い優先度を決定する。他にも、優先度決定部４３は、能動的に撮像された画像か、自動的に撮像された画像かに基づいて、優先度を決定してもよい。
【００４２】
なお、第２の属性は複数であってもよい。例えば、第２の属性として、タグ「人物」と時間「７：００−９：００」とが指定された場合、優先度決定部４３は、キーワード「人物」がタグ付けされており、撮像時刻が７：００から９：００までである画像に、高い優先度を決定する。
【００４３】
・選択部
選択部４４は、第３の属性に基づいて、優先度決定部４３により決定された優先度に従いグループごとにひとつの画像を選択する。第３の属性は、上述したようにサムネイル表示する画像を選択するための基準であり、選択部４４は、第３の属性の属性値として指定された属性値に対応する画像を選択する。
【００４４】
第３の属性としては、例えば、時間（撮像時刻）があり、選択部４４は、属性値として指定された時刻または指定された時刻付近に撮像（取得）された画像を、グループごとに優先度に従い選択する。図１に示したように、第２の属性値がタグ「人物」であり、第３の属性の属性値として１２時が指定されている場合、選択部４４は、日毎に人物が含まれる画像であって１２時付近に撮像された画像を選択する。このとき、選択部４４は、厳密に１２時００分に撮像された画像を選択してもよい。また、第３の属性値は時刻を範囲指定するものであってもよい。例えば、第３の属性値が１２時から１３時までを範囲指定するものである場合、選択部４４は、厳密に１２時００分から１３時００分までに撮像された画像を選択してもよいし、１２時前から１３時過ぎまでに撮像された画像を選択してもよい。また、第３の属性値はキーワードにより時刻を指定するものであってもよい。例えば、第３の属性値が「昼休み」であれば、選択部４４は、ユーザの勤務先の就業規則等に基づいて厳密に１２時００分から１３時００分までに撮像された画像を選択してもよい。また、例えば、第３の属性値が「昼食時間帯ｏｒ就寝前」であれば、選択部４４は、１２時前から１３時過ぎまで、または２２時前から２３時過ぎまでに撮像された画像を選択してもよい。なお、選択部４４は、属性値として指定された時刻または指定された時刻付近に取得された画像が存在しない場合、画像を選択しないでもよい。この場合、後述の通り、生成部４５により「Ｎ／Ａ存在しません」と記載されたサムネイルが配置される。
【００４５】
他にも、第３の属性としては、例えば、画像の特徴量があり、選択部４４は、属性値として指定された特徴量を有する画像を、グループごとに優先度に従い選択する。例えば、第３の属性が特徴量「黄色」である場合、選択部４４は、黄色の画素を属性値として指定された量含む画像を、優先度に従いグループごとに選択する。なお、選択部４４は、属性値として指定された特徴量を有する画像が存在しない場合、画像を選択しないでもよい。この場合、後述の通り、生成部４５により「Ｎ／Ａ存在しません」と記載されたサムネイルが配置される。なお、以下では選択部４４により選択された画像を候補画像と呼称する。
【００４６】
選択部４４は、第３の属性に基づいて優先度が閾値より高い画像からひとつの候補画像を選択してもよい。つまり、選択部４４は、候補画像として選択する画像の候補を、優先度に基づいてフィルタリングしてもよい。例えば、図１に示した例においては、選択部４４は、キーワード「人物」がタグ付けされた画像から候補画像を選択し、キーワード「人物」がタグ付けされていない画像からは選択しない。
【００４７】
また、選択部４４は、入力部２０が第３の属性の属性値を変更する入力を受け付けた場合、変更後の第３の属性の属性値に基づいて優先度に従いグループごとにひとつの候補画像を再度選択する。例えば、図１に示した例において、時刻の指定が１２時から１３時に変更された場合、選択部４４は、人物が含まれる画像であって、１３時付近に撮像された画像を再度選択する。
【００４８】
なお、制御部４０は、第３の属性の属性値の変更に伴う選択部４４による候補画像の再度の選択をより簡易にするため、グループごとに画像を並び変えて選択順位を付与してもよい。選択順位とは、選択部４４が画像を選択する際の、選択する順番を示す順位であり、第２の属性に基づく優先度が同じ画像について、さらに細かく順位付けするものである。例えば、第３の属性が時間である場合、制御部４０は、グループごとに、同じ優先度が決定された画像を撮像時刻順に並び替えて、撮像時刻順に選択順位を付与する。また、第３の属性が特徴量である場合、制御部４０は、グループごとに、同じ優先度が決定された画像を特徴量を多く含む順に並びかえて、特徴量を多く含む順に選択順位を付与する。
【００４９】
そして、ユーザは、第３の属性の属性値として、選択順位を指定する。例えば、第３の属性が特徴量である場合、ユーザが選択順位１番を指定すると、選択部４４は最も特徴量を多く含む画像を選択する。また、ＰＲＥＶキー２１またはＮＥＸＴキー２２が操作された場合、選択部４４は、現在サムネイル表示している画像の前または後に並べられた画像、即ち選択順位が前または後の画像を再度選択する。例えば、第３の属性が時間である場合、選択部４４は、撮像時刻が現在サムネイル表示している画像のひとつ前またはひとつ後の画像を選択する。また、第３の属性が特徴量である場合、選択部４４は、現在サムネイル表示している画像よりも、特徴量が次に多いまたは次に少ない画像を選択する。
【００５０】
・生成部
生成部４５は、選択部４４により選択された候補画像に対応するサムネイルを、第１の属性に応じたレイアウトでグループごとに配置した一覧表示画面（表示画像）を生成する。例えば、第１の属性が時間である場合、より詳しくは図１に示したように日単位である場合、生成部４５は、カレンダーを示す背景画像上の、候補画像が取得された日付に対応する位置にサムネイルを配置した一覧表示画面を生成する。他にも、第１の属性が時間である場合、より詳しくは分単位である場合、生成部４５は、時計の文字盤を示す背景画像上の、候補画像が取得された時刻に対応する位置にサムネイルを配置した一覧表示画面を生成する。また、第１の属性が位置情報である場合、より詳しくは地理的範囲を示す単位である場合、生成部４５は、地図を示す背景画像上の、候補画像が取得された位置に対応する位置にサムネイルを配置した一覧表示画面を生成する。
【００５１】
また、入力部２０が第３の属性の属性値を変更する入力を受け付け、選択部４４により候補画像が再度選択された場合、生成部４５は、選択部４４により再度選択された候補画像を用いて一覧表示画面を再度生成する。これにより、表示部１０が表示する一覧表示画面に配置されるサムネイルが、変更された属性値に応じたものに更新される。
【００５２】
また、生成部４５は、閲覧禁止された候補画像については、閲覧禁止されていることを識別可能に表示するサムネイルを配置することができる。例えば、図１における８月３日のように、生成部４５は、選択部４４により選択された候補画像が閲覧禁止である場合、その候補画像に対応するサムネイルの代わりに、閲覧禁止であることを示す「Ｆｏｒｂｉｄｄｅｎ閲覧禁止」と記載されたサムネイルを配置する。
【００５３】
また、生成部４５は、分類部４２により画像がひとつも分類されていないグループと、ひとつ以上分類されているが、指定された条件に合致する画像が分類されていないグループとを、識別可能に表示する一覧表示画面を生成することができる。
【００５４】
即ち、生成部４５は、分類部４２により画像がひとつも分類されていないグループについては、何らサムネイルを配置しない。例えば、図１における８月９日や１０日のように、画像を一枚も撮像していない日は空欄となる。
【００５５】
一方で、生成部４５は、第３の属性の属性値に対応する画像が分類されていないグループについては、該当する画像が存在しないことを示す「Ｎ／Ａ存在しません」と記載されたサムネイルを配置する。例えば、図１における８月６日や１１日のように、他の時刻に撮像された画像はあるものの、１２時に撮像された画像が無い場合には、生成部４５は、「Ｎ／Ａ存在しません」と記載されたサムネイルが配置する。他にも、生成部４５は、優先度が閾値より高い画像が分類されていないグループについては、該当する画像が存在しないことを示す「Ｎ／Ａ存在しません」と記載されたサムネイルを配置した一覧表示画面を生成してもよい。例えば、図１に示した例において、生成部４５は、キーワード「人物」がタグ付けされた画像がひとつも無い日について、「Ｎ／Ａ存在しません」と記載されたサムネイルを配置する。
【００５６】
（補足）
一覧表示画面において一覧表示したサムネイルがユーザ操作により選択されると、生成部４５は、そのサムネイルに対応する画像を詳細表示する詳細表示画面（後述の図１４）を生成する。詳細表示画面においては、入力部２０は、詳細表示された画像について、第３の属性の属性値を変更する入力を受け付け得る。この場合、選択部４４は、その画像が分類された（属する）グループに同じく分類された画像から、変更後の属性値に基づいて優先度に従いひとつの画像を再度選択する。そして、生成部４５は、詳細表示される画像を、選択部４４により再度選択された画像に変更した詳細表示画面（表示画像）を再度生成する。なお、詳細表示画面が終了した際には、生成部４５は、ユーザ操作により選択されたサムネイルを、選択部４４により再度選択された画像を示すサムネイルに更新した一覧表示画面を再度生成する。
【００５７】
また、一覧表示画面において一覧表示したサムネイルがユーザ操作により選択された場合に、生成部４５は、そのサムネイルに対応する画像と撮像時刻が近い画像とを一覧表示する画面を表示してもよい。このような画面により、ユーザは、所望する画像とその前後の時刻に撮像された画像とを、連鎖的に探し出すことができる。例えば、ユーザが旅行や宴会等のイベントでの画像を所望しており、一覧表示画面の中にそのイベントでの画像が含まれる場合を想定する。このような場合、その画像は、イベントにおいて複数枚撮像された中の一枚である可能性が高いので、ユーザは、その前後の時刻に撮像された画像を一覧表示させることで、イベントでの画像を連鎖的に探し出すことができる。
【００５８】
以上、本実施形態に係るタブレット端末１の構成について説明した。
【００５９】
［２−２．動作処理］
（動作処理：概要）
続いて、図４、５を参照して、本実施形態に係るタブレット端末１の動作処理の概要を説明する。図４は、本開示の一実施形態に係るタブレット端末１の動作の概要を示す図である。
【００６０】
図４に示したように、まず、ステップＳ１１で、分類部４２は、第１の属性に基づき画像をＮ個のグループのいずれかに分類する。次に、ステップＳ１２で、優先度決定部４３は、分類部４２により分類された画像に対し、Ｎ個のグループごとに第２の属性に基づいて優先度を決定する。次いで、ステップＳ１３で、選択部４４は、最も高い優先度が付与され、且つ指定された第３の属性値の属性値に対応する画像を、グループごとにひとつ候補画像として選択する。例えば、図４においては、選択部４４は、グループ１では画像３１を選択し、グループ２では画像３２を選択し、グループＮでは画像３３を選択している。
【００６１】
そして、生成部４５は、選択部４４により選択された候補画像に対応するサムネイルを、第１の属性に応じたレイアウトでグループごとに配置した一覧表示画面を生成する。ここで、生成部４５により生成される一覧表示画面の一例を、図５に示す。図５は、本開示の一実施形態に係るタブレット端末１の一覧表示画面の一例を示す図である。図５に示すように、生成部４５は、図４におけるステップＳ１３において選択部４４により選択された画像である、画像３１をグループ１に配置し、画像３２をグループ２に配置し、画像３３をグループＮに配置した一覧表示画面１０−２を生成する。
【００６２】
また、ユーザによりＰＲＥＶキー２１またはＮＥＸＴキー２２が選択された場合、選択部４４は第３の属性の属性値を変更して候補画像を再度選択し、生成部４５は再度選択された候補画像に応じてサムネイルを更新する。
【００６３】
以上、タブレット端末１の動作の概要について説明した。続いて、図６〜図１４を参照して、タブレット端末１の動作の詳細について説明する。
【００６４】
（動作処理：全体像）
図６〜図１０は、本開示の一実施形態に係るタブレット端末１の動作を示すフローチャートである。図６に示すように、まず、ステップＳ１０４で、入力部２０は、一覧表示の対象となる範囲を限定するための検索範囲の入力を受け付ける。
【００６５】
例えば、入力部２０は、図１１に示す検索範囲入力画面１０−３において、検索範囲の入力を受け付ける。図１１は、本開示の一実施形態に係るタブレット端末１の検索範囲入力画面の一例である。図１１に示したように、検索範囲入力画面１０−３において、ユーザは年、月、日、時、分を入力して、対象とする撮像時刻の範囲を指定する。図１に示した例においては、入力部２０は、２０１２年８月１日０時０分０秒から２０１２年８月３１日２４時０分０秒までを検索範囲とする入力を受け付けている。なお、ユーザは、検索範囲入力画面１０−３において「追加」キーを選択することで検索範囲入力画面１０−４に遷移させ、複数の撮像時刻の範囲を指定することもできる。
【００６６】
次に、ステップＳ１０８で、入力部２０は、第１の属性、第２の属性、第３の属性、および第３の属性の属性値の入力を受け付ける。例えば、図１に示した例においては、入力部２０は、第１の属性として時間「日単位」を指定し、第２の属性としてタグ「人物」を指定し、第３の属性として「時間」を指定し、第３の属性の属性値として１２時を指定する入力を受け付ける。
【００６７】
その際、例えば、ユーザは、図１２に示す属性入力画面１０−５〜１０−９において、属性を入力する。図１２は、本開示の一実施形態に係るタブレット端末１の属性入力画面の一例である。図１２に示したように、属性入力画面１０−５において、ユーザは所望の属性を選択することができる。
【００６８】
属性入力画面１０−５において、第１の属性として「時間」が選択されると、画面は属性入力画面１０−６に遷移し、ユーザは繰り返しの単位として、日単位、週単位、月単位、またはその他の単位を指定することができる。また、属性入力画面１０−５において、第２または第３の属性として「時間」が選択されると、画面は属性入力画面１０−７に遷移し、ユーザは所望の撮像時刻の範囲を指定することができる。
【００６９】
また、属性入力画面１０−５において、第２または第３の属性として「タグ」が選択されると、画面は属性入力画面１０−８に遷移し、ユーザは所望のキーワードを入力することができる。
【００７０】
また、属性入力画面１０−５において、第１の属性として「場所」が選択されると、画面は属性入力画面１０−９に遷移し、ユーザは繰り返しの単位として、５００メートル四方、１キロメートル四方、１０キロメートル四方、またはその他の単位を指定することができる。また、属性入力画面１０−５において、第２または第３の属性として「場所」が選択されると、画面は図１３に示す属性入力画面１０−１０に遷移する。図１３は、本開示の一実施形態に係るタブレット端末１の属性入力画面の一例である。図１３に示したように、属性入力画面１０−１０において、ユーザは地図画像上で範囲指定することで、撮像場所の範囲を指定することができる。
【００７１】
ここで、図６に示したフローチャートの説明に戻る。ステップＳ１０８に次いで、ステップＳ１１２で、分類部４２は、検索範囲に含まれる画像を、第１の属性に基づいて分類する。例えば、図１に示した例においては、分類部４２は、２０１２年８月１日０時０分０秒から２０１２年８月３１日２４時０分０秒までに撮像された画像を、第１の属性として指定された日単位の計３１個のグループに分類する。
【００７２】
次に、ステップＳ１１６で、制御部４０は、第２の属性および第３の属性に従い、各グループに分類された画像の並び替えを行う。ステップＳ１１６における処理については後に図７を参照して説明するため、ここでの詳細な説明は省略する。
【００７３】
次いで、ステップＳ１２０で、選択部４４は、第３の属性の属性値に応じて候補画像を選択する。例えば、図１に示した例においては、選択部４４は、上記ステップＳ１１６において並び替えられた画像から、１２時付近に撮像された画像をグループごとにひとつ選択する。
【００７４】
そして、ステップＳ１２４で、表示部１０は、グループごとに選択部４４により選択された候補画像を示すサムネイルが配置された一覧表示画面を表示する。ステップＳ１２４における処理については後に図８を参照して説明するため、ここでの詳細な説明は省略する。
【００７５】
次に、ステップＳ１２８で、制御部４０は、入力部２０が候補画像の変更を指示する入力を受け付けたか否かを判定する。例えば、図１に示した例においては、制御部４０は、操作部２３、ＰＲＥＶキー２１またはＮＥＸＴキー２２のいずれかが操作されたか否かを判定する。
【００７６】
入力部２０が候補画像の変更を指示する入力を受け付けた場合（Ｓ１２８／ＹＥＳ）、ステップＳ１３２で、選択部４４は、候補画像を再度選択する。ステップＳ１３２における処理については後に図９を参照して説明するため、ここでの詳細な説明は省略する。
【００７７】
一方で、入力部２０が候補画像の変更を指示する入力を受け付けていない場合（Ｓ１２８／ＮＯ）、ステップＳ１３６で、制御部４０は、入力部２０が属性の変更を指示する入力を受け付けたか否かを判定する。
【００７８】
入力部２０が属性の変更を指示する入力を受け付けた場合（Ｓ１３６／ＹＥＳ）、処理は再度上記ステップＳ１０４に戻る。
【００７９】
一方で、入力部２０が属性の変更を指示する入力を受け付けていない場合（Ｓ１３６／ＮＯ）、ステップＳ１４０で、制御部４０は、入力部２０がサムネイルの選択を指示する入力を受け付けたか否かを判定する。
【００８０】
入力部２０がサムネイルの選択を指示する入力を受け付けていない場合（Ｓ１４０／ＮＯ）、ステップＳ１４４で、制御部４０は、入力部２０が終了を指示する入力を受け付けたか否かを判定する。
【００８１】
入力部２０が終了を指示する入力を受け付けた場合（Ｓ１４４／ＹＥＳ）、処理は終了する。一方で、入力部２０が終了を指示する入力を受け付けていない場合（Ｓ１４４／ＮＯ）、処理は再度上記ステップＳ１２４に戻る。
【００８２】
また、上記ステップＳ１４０において、入力部２０がサムネイルの選択を指示する入力を受け付けた場合（Ｓ１４０／ＹＥＳ）、ステップＳ１４８で、表示部１０は、選択されたサムネイルに対応する候補画像の詳細を表示する。例えば、図１に示した例において、８月１日のサムネイルが選択された場合には、表示部１０は、図１４に示した詳細表示画面１０−１１を表示する。
【００８３】
図１４は、本開示の一実施形態に係るタブレット端末１の詳細表示画面の一例である。図１４に示したように、詳細表示画面１０−１１には、図１における８月１日のサムネイルに対応する候補画像が拡大されて表示されている。また、詳細表示画面１０−１１には、ＰＲＥＶキー２１、ＮＥＸＴキー２２、設定キー２４、設定キー２５が配置されている。ユーザは、設定キー２４を選択することで、候補画像に対して閲覧禁止または解除を設定することができる。また、ユーザは、設定キー２５を選択することで、候補画像に対してキーワードを入力してタグ付けすることができる。
【００８４】
次に、ステップＳ１５２で、制御部４０は、入力部２０が候補画像の変更を指示する入力を受け付けたか否かを判定する。例えば、図１４に示した詳細表示画面１０−１１において、制御部４０は、ＰＲＥＶキー２１またはＮＥＸＴキー２２のいずれかが選択されたか否かを判定する。
【００８５】
入力部２０が候補画像の変更を指示する入力を受け付けた場合（Ｓ１５２／ＹＥＳ）、ステップＳ１５６で、選択部４４は、上記ステップＳ１３２と同様に候補画像を再度選択する。その後、処理は再度ステップＳ１４８に戻り、表示部１０は再度選択された候補画像について詳細表示画面を表示する。
【００８６】
一方で、入力部２０が候補画像の変更を指示する入力を受け付けていない場合（Ｓ１５２／ＮＯ）、ステップＳ１６０で、制御部４０は、入力部２０が設定変更を指示する入力を受け付けたか否かを判定する。例えば、図１４に示した詳細表示画面１０−１１において、制御部４０は、設定キー２４または設定キー２５のいずれかが選択されたか否かを判定する。
【００８７】
入力部２０が設定変更を指示する入力を受け付けた場合（Ｓ１６０／ＹＥＳ）、ステップＳ１６４で、制御部４０は、入力部２０が受け付けた指示に応じて、詳細表示している候補画像について設定変更を行う。例えば、制御部４０は、ユーザにより入力されたキーワードでタグ付けしたり、閲覧禁止を設定または解除したりする。その後、処理は再度上記ステップＳ１４８に戻る。
【００８８】
一方で、入力部２０が設定変更を指示する入力を受け付けていない場合（Ｓ１６０／ＮＯ）、処理は再度上記ステップＳ１２４に戻る。このとき、制御部４０は、詳細表示画面を表示してから所定時間経過後、またはユーザにより詳細表示画面を終了する指示があった場合に、処理が再度上記ステップＳ１２４に戻るよう制御してもよい。
【００８９】
以上、タブレット端末１の動作処理の全体像について説明した。
【００９０】
（動作処理：ステップＳ１１６）
続いて、図７を参照し、上記ステップＳ１１６における詳細な動作処理について説明する。図７に示すように、まず、ステップＳ２０４で、制御部４０は、全てのグループに対して並び替えが終わったか否かを判定する。
【００９１】
並び替えが終わっている場合（Ｓ２０４／ＹＥＳ）、ステップＳ１１６の処理は終了する。
【００９２】
一方で、並び替えが終わっていない場合（Ｓ２０４／ＮＯ）、ステップＳ２０８で、制御部４０は、未処理のグループを選択する。
【００９３】
次いで、ステップＳ２１２で、制御部４０は、選択したグループにひとつ以上の画像が分類部４２により分類されているか否かを判定する。
【００９４】
ひとつ以上の画像が分類されていない場合（Ｓ２１２／ＮＯ）、処理は再度上記ステップＳ２０４に戻る。このとき、制御部４０は、選択していたグループについて並び替えが終わったものとみなし、処理済みとする。
【００９５】
一方で、ひとつ以上の画像が分類されている場合（Ｓ２１２／ＹＥＳ）、ステップＳ２１６で、制御部４０は、第２の属性による並び替えを行う。より詳しくは、制御部４０は、優先度決定部４３により決定された優先度が高い画像から順に並ぶよう、グループに分類された画像の並び替えを行う。図１に示した例では、制御部４０は、まず、第２の属性として指定されたキーワード「人物」がタグ付けされた画像、次に「人物」がタグ付けされていない画像の順に並ぶよう、並び替えを行う。
【００９６】
次いで、ステップＳ２２０で、制御部４０は、グループ内に同じ選択順位の画像があるか否かを判定する。より詳しくは、制御部４０は、グループ内に同じ優先度が決定された画像があるか否かを判定する。
【００９７】
グループ内に同じ選択順位の画像がない場合（Ｓ２２０／ＮＯ）、処理は再度上記ステップＳ２０４に戻る。このとき、制御部４０は、選択していたグループについて並び替えが終わったものとみなし、処理済みとする。
【００９８】
一方で、グループ内に同じ選択順位の画像がある場合（Ｓ２２０／ＹＥＳ）、ステップＳ２２４で、制御部４０は、第３の属性が指定されているか否かを判定する。
【００９９】
第３の属性が指定されていない場合（Ｓ２２４／ＮＯ）、ステップＳ２３６で、制御部４０は、グループ内に同じ選択順位の画像、即ち優先度が同じ画像について、撮像時刻順に並び替える。そして、制御部４０は、並び替えられた順番に従うよう選択順位を更新する。
【０１００】
一方で、第３の属性が指定されている場合（Ｓ２２４／ＹＥＳ）、ステップＳ２２８で、制御部４０は、第３の属性による並び替えを行う。より詳しくは、制御部４０は、グループ内の同じ選択順位の画像、即ち優先度が同じ画像について、第３の属性の属性値に基づいて並び替えを行う。図１に示した例においては、第３の属性として「時間」が指定されているため、制御部４０は、キーワード「人物」がタグ付けされた画像を撮像時刻順に並び替え、続いて「人物」がタグ付けされていない画像を撮像時刻順に並び替える。そして、制御部４０は、並び替えられた順番に従うよう選択順位を更新する。
【０１０１】
次に、ステップＳ２３２で、制御部４０は、グループ内に同じ選択順位の画像があるか否かを判定する。
【０１０２】
グループ内に同じ選択順位の画像がない場合（Ｓ２３２／ＮＯ）、処理は再度上記ステップＳ２０４に戻る。このとき、制御部４０は、選択していたグループについて処理済みとする。
【０１０３】
一方で、グループ内に同じ選択順位の画像がある場合（Ｓ２３２／ＹＥＳ）、ステップＳ２３６で、制御部４０は、グループ内に同じ選択順位の画像について、撮像時刻順に並び替えを行う。そして、制御部４０は、並び替えられた順番に従うよう選択順位を更新する。
【０１０４】
次いで、処理は再度上記ステップＳ２０４に戻る。このとき、制御部４０は、選択していたグループについて処理済みとする。
【０１０５】
以上、ステップＳ１１６における詳細な動作処理について説明した。
【０１０６】
（動作処理：ステップＳ１２４）
続いて、図８を参照し、上記ステップＳ１２４における詳細な動作処理について説明する。図８に示すように、まず、ステップＳ３０２で、生成部４５は、第１の属性に応じたレイアウトの背景画像を生成する。例えば、図１に示した例においては、生成部４５は、第１の属性である時間「日単位」に応じたレイアウトとして、カレンダー状の背景画像を生成する。
【０１０７】
次に、ステップＳ３０４で、制御部４０は、全てのグループについて処理済みであるか否かを判定する。
【０１０８】
処理済みでない場合（Ｓ３０４／ＮＯ）、ステップＳ３０８で、制御部４０は、未処理のグループを選択する。
【０１０９】
次いで、ステップＳ３１２で、制御部４０は、選択したグループにひとつ以上の画像が分類部４２により分類されているか否かを判定する。
【０１１０】
ひとつ以上の画像が分類されていない場合（Ｓ３１２／ＮＯ）、ステップＳ３１６で、生成部４５は、そのグループについては何らサムネイルを配置せず、空欄とする。例えば、図１に示した例においては、画像をひとつも撮像していない日については、何らサムネイルを配置せず空欄とする。このとき、制御部４０は、選択していたグループについてサムネイルの配置処理が終わったものとみなし、処理済みとする。
【０１１１】
一方で、ひとつ以上の画像が分類されている場合（Ｓ３１２／ＹＥＳ）、ステップＳ３２０で、制御部４０は、第３の属性の属性値に対応する画像が存在するか否かを判定する。より詳しくは、制御部４０は、選択部４４により第３の属性の属性値に対応する画像が選択されたか否かを判定する。
【０１１２】
第３の属性の属性値に対応する画像が存在しない場合（Ｓ３２０／ＮＯ）、ステップＳ３２４で、生成部４５は、そのグループについて「Ｎ／Ａ存在しません」と記載されたサムネイルを配置する。例えば、図１に示した例においては、第３の属性の属性値として指定された１２時付近に撮像された画像がない場合に、「Ｎ／Ａ存在しません」と記載されたサムネイルを配置する。また、生成部４５は、第２の属性に基づく優先度が閾値より高い画像が分類されていない場合にも、「Ｎ／Ａ存在しません」と記載されたサムネイルを配置する。例えば、図１に示した例においては、第２の属性として指定された「人物」がタグ付けされた画像がない場合に、「Ｎ／Ａ存在しません」と記載されたサムネイルを配置する。このとき、制御部４０は、選択していたグループについて処理済みとする。
【０１１３】
一方で、第３の属性の属性値に対応する画像が存在する場合（Ｓ３２０／ＹＥＳ）、Ｓ３２８で、制御部４０は、その画像の表示が許可されているか否かを判定する。より詳しくは、制御部４０は、その画像に閲覧禁止が設定されているか否かを判定する。
【０１１４】
表示が許可されていない場合（Ｓ３２８／ＮＯ）、即ち閲覧禁止が設定されている場合、ステップＳ３３２で、生成部４５は、そのグループについて「Ｆｏｒｂｉｄｄｅｎ閲覧禁止」と記載されたサムネイルを配置する。このとき、制御部４０は、選択していたグループについて処理済みとする。
【０１１５】
一方で、表示が許可されている場合（Ｓ３２８／ＹＥＳ）、即ち閲覧禁止が設定されていない場合、ステップＳ３３６で、生成部４５は、そのグループについて、選択部４４により選択された、第３の属性の属性値に対応する画像のサムネイルを配置する。このとき、制御部４０は、選択していたグループについて処理済みとする。
【０１１６】
以上説明した処理をすべてのグループについて行った後（Ｓ３０４／ＹＥＳ）、ステップＳ３４０で、表示部１０は生成部４５により生成された、サムネイルがグループ毎に配置された一覧表示画面の表示を行う。
【０１１７】
以上、ステップＳ１２４における詳細な動作処理について説明した。
【０１１８】
（動作処理：ステップＳ１３２）
続いて、図９を参照し、上記ステップＳ１３２における詳細な動作処理について説明する。図９に示すように、まず、ステップＳ４０４で、制御部４０は、第３の属性が時間であるか否かを判定する。
【０１１９】
第３の属性が時間でない場合（Ｓ４０４／ＮＯ）、ステップＳ４０８で、選択部４４は、次または前の画像を選択する。より詳しくは、選択部４４は、選択順位が前または後の画像を選択する。
【０１２０】
一方で、第３の属性が時間である場合（Ｓ４０４／ＹＥＳ）、ステップＳ４１２で、制御部４０は、第３の属性の属性値として直接時刻を指定されたか否かを判定する。
【０１２１】
直接時刻を指定された場合（Ｓ４１２／ＹＥＳ）、ステップＳ４１６で、生成部４５は、指定された時刻付近に撮像された画像を選択する。
【０１２２】
一方で、直接時刻を指定されていない場合（Ｓ４１２／ＮＯ）、ステップＳ４２０で、制御部４０は、予め基準グループの指定があるか否かを判定する。ここで、基準グループとは、サムネイルの切り替えの基準となるグループであり、ユーザにより事前に指定される。
【０１２３】
予め基準グループの指定がある場合（Ｓ４２０／ＹＥＳ）、ステップＳ４２４で、基準グループ内の次または後の画像が撮像された時刻付近に撮像された画像を選択する。より詳しくは、選択部４４は、まず、基準グループにおいて次または前の画像を選択する。続いて、選択部４４は、基準グループにおいて選択した画像の撮像時刻付近に撮像された画像を、基準グループ以外のグループにおいて選択する。
【０１２４】
一方で、予め基準グループの指定がない場合（Ｓ４２０／ＮＯ）、ステップＳ４２８で、制御部４０は、予め時間粒度の設定があるか否かを判定する。ここで、時間粒度とは、サムネイルの切り替える際の撮像時刻の変更幅を示し、ユーザにより事前に設定される。
【０１２５】
予め時間粒度の設定が設定されていない場合（Ｓ４２８／ＮＯ）、ステップＳ４３２で、制御部４０は時間粒度をデフォルトの値に設定する。
【０１２６】
一方で、予め時間粒度の設定が設定されている場合（Ｓ４２８／ＹＥＳ）、ステップＳ４３６で、選択部４４は、現在表示中の画像が撮像された時刻±時間粒度が示す時刻に撮像された画像を選択する。より詳しくは、選択部４４は、前の選択順位の画像として、現在表示中の画像が撮像された時刻−時間粒度が示す時刻に撮像された画像を選択し、後の選択順位の画像として、現在表示中の画像が撮像された時刻＋時間粒度が示す時刻に撮像された画像を選択する。
【０１２７】
以上、ステップＳ１３２における詳細な動作処理について説明した。
【０１２８】
（動作処理：自動タグ付け）
続いて、図１０を参照し、設定部４１が自動的に画像の内容を示すキーワードをタグ付けする処理について説明する。図１０に示すように、まず、ステップＳ５０４で、設定部４１は、処理すべき画像があるか否かを判定する。例えば、図示しない撮像部が新たに画像を撮像した場合、または他の情報処理装置から新たに画像を取得した場合、設定部４１は、処理すべき画像があると判定する。
【０１２９】
処理すべき画像がない場合（Ｓ５０４／ＮＯ）、処理は終了する。一方で、処理すべき画像がある場合（Ｓ５０４／ＹＥＳ）、ステップＳ５０８で、設定部４１は、画像認識または画像解析により画像の内容を示すキーワードを抽出する。例えば、人物が含まれる画像であれば、「人物」、植物が含まれる画像であれば「植物」を抽出する。
【０１３０】
そして、ステップＳ５１２で、設定部４１は、抽出したキーワードをＥＸＩＦファイルまたは画像に関連付けられた属性ファイルに追加記憶する。このとき、抽出および追加記憶されるキーワードは複数であってもよい。
【０１３１】
以上、設定部４１が自動的に画像の内容を示すキーワードをタグ付けする処理について説明した。
【０１３２】
［２−３．適用例］
本開示の一実施形態に係るタブレット端末１は、多様な適用例が考えられる。そこで、以下では、本開示の一実施形態に係るタブレット端末１による適用例について説明する。
【０１３３】
（適用例１）
まず、図１５を参照して、本開示の一実施形態に係るタブレット端末１の適用例１について説明する。図１５は、適用例１に係るタブレット端末１の一覧表示画面の一例を示す図である。図１５に示したように、タブレット端末１は、指定された撮像時刻および撮像場所に該当する画像であって、茶色または黄色の特徴量を多く有する画像のサムネイルを、カレンダー状に表示する一覧表示画面１０−１２を表示する。なお、一覧表示画面１０−１２には、ユーザにより指定された選択順位を示す順位表示欄２６が含まれており、一覧表示画面１０−１２は、選択順位３番の画像を日毎に表示している。
【０１３４】
なお、図１５に示した例においては、第１の属性として、時間「日単位」が指定されている。また、第２の属性として、食事の時間帯である時間「７：００−９：００、１１：３０−１３：３０、１８：００−２０：００」が指定されている。さらに、第２の属性として、緯度経度により特定される地理的範囲「１３９．５５Ｅ（東経），３５．５５Ｎ（北緯）−１３９．５５Ｅ，３５．６６Ｎ」が指定されている。また、第３の属性として、特徴量「茶色ｏｒ黄色」が指定されている。また、第３の属性の属性値としては、選択順位３番が指定されている。
【０１３５】
ユーザは、カレーの画像を探したい、と所望する場合に、上記の各属性を指定することで、食事の時間帯であり、レストランがある地域で撮像した、カレーである確率が高い画像を一覧表示させることができる。また、ユーザは、ＰＲＥＶキー２１またはＮＥＸＴキー２２を操作することで、現在サムネイル表示している画像よりも、カレーである確率が高い画像、または低い画像に切り替わるよう、一覧表示を更新することができる。より詳しくは、ユーザは、ＰＲＥＶキー２１を操作することで、現在サムネイル表示している画像よりも、第３の属性である茶色または黄色の画素が多い画像に切り替えることができる。また、ＮＥＸＴキー２２を操作することで、現在サムネイル表示している画像よりも、第３の属性である茶色または黄色の画素が少ない画像に切り替えることができる。このように、ユーザは、一覧表示を更新させながら所望の画像を容易に探すことができる。
【０１３６】
また、図１５においては、水曜日である８月１日および８日、土曜日である８月４日および１１日に、カレーのサムネイルが配置されているため、ユーザが水曜日および土曜日に定期的にカレーを食べているとわかる。このように、サムネイルを一覧表示させることで、ユーザは自身の行動の周期性を認識することも可能である。
【０１３７】
以上、適用例１について説明した。
【０１３８】
（適用例２）
続いて、図１６を参照して、本開示の一実施形態に係るタブレット端末１の適用例２について説明する。図１６は、適用例２に係るタブレット端末１の一覧表示画面の一例を示す図である。図１６に示したように、タブレット端末１は、「動物」または「植物」がタグ付けられた画像であって、動物または植物としての特徴量を多く有する画像のサムネイルを、地図画像上に表示する一覧表示画面１０−１３を表示する。なお、一覧表示画面１０−１３では、動物園を示す地図画像が５００ｍ四方のグリッド状に区切られており、サムネイルは撮像場所に対応するグリッドに配置されている。
【０１３９】
なお、図１６に示した例においては、第１の属性として、場所「５００ｍ四方」が指定されている。また、第２の属性として、タグ「動物ｏｒ植物」が指定されている。さらに、第２の属性として、動物園が位置する地理的範囲「１３９．５５Ｅ，３５．５５Ｎ−１３９．５５Ｅ，３５．６６Ｎ」が指定されている。また、第３の属性として、特徴量「動物ｏｒ植物」が指定されている。また、第３の属性の属性値としては、選択順位３番が指定されている。
【０１４０】
ユーザは、動物園で撮像したキリンの画像を探したい、と所望する場合に、上記の各属性を指定することで、動物または植物としての特徴量を多く含む、キリンである確率が高い画像を、地図画像上に一覧表示させることができる。また、ユーザは、ＰＲＥＶキー２１またはＮＥＸＴキー２２を操作することで、現在サムネイル表示している画像よりも、キリンである確率が高い画像、または低い画像に切り替わるよう、一覧表示を更新することができる。このように、ユーザは、一覧表示を更新させながら所望の画像を容易に探すことができる。
【０１４１】
以上、適用例２について説明した。
【０１４２】
（適用例３）
続いて、図１７を参照して、本開示の一実施形態に係るタブレット端末１の適用例３について説明する。図１７は、適用例３に係るタブレット端末１の一覧表示画面の一例を示す図である。図１７に示したように、タブレット端末１は、「動物」または「植物」がタグ付けられた画像であって、１２時付近に撮像された画像を示すサムネイルを、地図画像上に表示する一覧表示画面１０−１４を表示する。本適用例では、上記適用例２で示した一覧表示画面１０−１３（図１６）と異なり、キリンである確率が高い画像であっても、撮像時刻によっては「Ｎ／Ａ存在しません」と記載されたサムネイルが配置されている。
【０１４３】
なお、図１７に示した例においては、第１の属性として、場所「５００四方」が指定されている。また、第２の属性として、タグ「動物ｏｒ植物」が指定されている。さらに、第２の属性として、動物園が位置する地理的範囲「１３９．５５Ｅ，３５．５５Ｎ−１３９．５５Ｅ，３５．６６Ｎ」が指定されている。また、第３の属性として、時間が指定されており、属性値として１２時が指定されている。
【０１４４】
ユーザは、キリンの画像を探したい、と所望する場合に、上記の各属性を指定することで、キリンである確率が高い画像であって、指定した時刻付近に撮像された画像を、地図画像上に一覧表示させることができる。また、ユーザは、ＰＲＥＶキー２１またはＮＥＸＴキー２２を操作することで、キリンである確率が高い画像であって、現在サムネイル表示している画像よりも前または後の時刻に撮像した画像に切り替わるよう、一覧表示画面を更新することができる。
【０１４５】
また、本適用例においては、図１７に示したように、キリンである確率が高い画像であっても、撮像時刻によっては画像がサムネイル表示されず、「Ｎ／Ａ存在しません」と記載されたサムネイルが表示される。指定した時刻付近に撮像した画像のみが、撮像場所に応じた場所にサムネイル表示されるため、ユーザは指定した時刻に居た位置を認識することができる。そして、ユーザは、ＰＲＥＶキー２１またはＮＥＸＴキー２２を操作して指定する時刻を前後させることで、前後の時刻に居た位置、即ち移動経路を認識することができる。このため、ユーザは、例えばキリンを見た後に、キリンの北西でゾウを見た、などの移動経路に紐付いた記憶を参照しながら、所望の画像を探すことができる。
【０１４６】
以上、適用例３について説明した。
【０１４７】
（適用例４）
続いて、図１８を参照して、本開示の一実施形態に係るタブレット端末１の適用例４について説明する。図１８は、適用例４に係るタブレット端末１の一覧表示画面の一例を示す図である。図１８に示したように、タブレット端末１は、「動物」または「植物」がタグ付けられた画像であって、動物または植物としての特徴量を多く有する画像のサムネイルを、時計の文字盤上に表示する一覧表示画面１０−１５を表示する。なお、画像は、３０分単位でグループ分けされており、撮像時刻に応じた位置に配置されている。
【０１４８】
なお、図１８に示した例においては、第１の属性として、時間「３０分単位」が指定されている。また、第２の属性として、タグ「動物ｏｒ植物」が指定されている。さらに、第２の属性として、地理的範囲「１３９．５５Ｅ，３５．５５Ｎ−１３９．５５Ｅ，３５．６６Ｎ」が指定されている。また、第３の属性として、特徴量「動物ｏｒ植物」が指定されている。また、第３の属性の属性値としては、選択順位３番が指定されている。
【０１４９】
ユーザは、キリンの画像を探したい、と所望する場合に、上記の各属性を指定することで、動物または植物としての特徴量を多く含む、キリンである確率が高い画像を、時計の文字盤を示す背景画像上に一覧表示させることができる。図１８に示したように、画像が時計の文字盤上に配置されるので、ユーザは時間の経過を文字盤に沿って認識しながら、所望の画像を探すことができる。
【０１５０】
以上、適用例４について説明した。
【０１５１】
＜３．まとめ＞
以上説明したように本開示によれば、コンテンツデータを属性に基づいて分類し、分類ごとにユーザが所望する画像である確率が高い画像を選択して、選択した画像を示すサムネイルを一覧表示する一覧表示画面を生成することが可能である。このため、ユーザは、一覧表示されたサムネイルの中から所望の画像を一目で見つけ出すことができる。
【０１５２】
また、タブレット端末１は、第１の属性に応じたレイアウトとして、カレンダー状の配置、地図画像のグリッド配置、文字盤上の配置など、多様なレイアウトで画像を配置することができる。このため、ユーザは第１の属性に応じたレイアウトに沿って記憶を呼び覚ましながら、所望の画像を探すことができる。
【０１５３】
また、タブレット端末１は、ユーザ操作に応じてサムネイルを一度に切り替えることができる。このとき切り替えられるサムネイルは、第２の属性および第３の属性に基づく選択順位に従った、ユーザが所望する画像である確率が高い画像である。このため、ユーザはサムネイルの一覧を切り替えながら所望の画像を容易に探し出すことができる。
【０１５４】
以上、添付図面を参照しながら本開示の好適な実施形態について詳細に説明したが、本開示の技術的範囲はかかる例に限定されない。本開示の技術分野における通常の知識を有する者であれば、特許請求の範囲に記載された技術的思想の範疇内において、各種の変更例または修正例に想到し得ることは明らかであり、これらについても、当然に本開示の技術的範囲に属するものと了解される。
【０１５５】
例えば、上記実施形態では、所望の画像に容易にアクセス可能なことを説明したが、本開示はかかる例に限定されない。別の観点によると、タブレット端末１は、ユーザが所望する複数枚の画像を一覧表示することにも利用可能である。例えば、ユーザは、旅行先の地理的範囲を指定して、笑顔度の高い画像、家族が写った画像等を地図画像上に一覧表示させることで、旅行の思い出を容易に振り返ることができる。また、ユーザは、移動手段をタグ付けしておき、旅行先の地理的範囲および移動手段のタグを指定することで、例えば車での移動風景と飛行機での移動風景とを別々に一度に閲覧することもできる。他にも、ユーザは、旅行の種別、例えば添乗員付きツアーか、パックツアーか、社員旅行か、等をタグ付けしておくことで、これらの旅の種別ごとに画像を一度に閲覧することもできる。
【０１５６】
また、情報処理装置に内蔵されるＣＰＵ、ＲＯＭおよびＲＡＭなどのハードウェアを、上述したタブレット端末１の各構成と同等の機能を発揮させるためのコンピュータプログラムも作成可能である。また、該コンピュータプログラムを記憶した記憶媒体も提供される。
【０１５７】
なお、以下のような構成も本開示の技術的範囲に属する。
（１）
第１の属性に基づきコンテンツデータを複数の分類項目のいずれかに分類する分類部と、
前記分類部により分類された前記コンテンツデータに対し、前記分類項目ごとに第２の属性に基づいて優先度を決定する優先度決定部と、
第３の属性に基づいて前記優先度決定部により決定された優先度に従い前記分類項目ごとにひとつの前記コンテンツデータを選択する選択部と、
前記選択部により選択されたコンテンツデータに対応するシンボル画像を、前記第１の属性に応じたレイアウトで前記分類項目ごとに配置した表示画像を生成する生成部と、
を備える情報処理装置。
（２）
前記情報処理装置は入力部をさらに備え、
前記選択部は、前記入力部が前記第３の属性の属性値を変更する入力を受け付けた場合、変更後の前記第３の属性の属性値に基づいて前記優先度に従い前記分類項目ごとにひとつの前記コンテンツデータを再度選択し、
前記生成部は、前記選択部により再度選択された前記コンテンツデータを用いて前記表示画像を再度生成する、前記（１）に記載の情報処理装置。
（３）
前記第１の属性は位置情報であり、
前記生成部は、地図を示す背景画像上の前記コンテンツデータが取得された位置に対応する位置に前記シンボル画像を配置した表示画像を生成する、前記（１）または（２）に記載の情報処理装置。
（４）
前記生成部は、前記コンテンツデータがひとつも分類されていない前記分類項目については何らシンボル画像を配置しない、前記（１）〜（３）のいずれか一項に記載の情報処理装置。
（５）
前記選択部は、前記第３の属性に基づいて前記優先度が閾値より高いコンテンツデータからひとつの前記コンテンツデータを選択する、前記（１）〜（４）のいずれか一項に記載の情報処理装置。
（６）
前記生成部は、前記優先度が前記閾値より高いコンテンツデータが分類されていない前記分類項目については、該当するコンテンツデータが存在しないことを示す前記シンボル画像を配置する、前記（５）に記載の情報処理装置。
（７）
前記生成部は、前記第３の属性の属性値に対応するコンテンツデータが分類されていない前記分類項目については、該当するコンテンツデータが存在しないことを示す前記シンボル画像を配置する、前記（１）〜（５）のいずれか一項に記載の情報処理装置。
（８）
前記情報処理装置は入力部をさらに備え、
前記選択部は、前記入力部がひとつの前記コンテンツデータについて前記第３の属性の属性値を変更する入力を受け付けた場合、当該コンテンツデータが属する前記分類項目に分類された前記コンテンツデータから変更された前記第３の属性の属性値に基づいて前記優先度に従いひとつの前記コンテンツデータを再度選択し、
前記生成部は、前記選択部により再度選択された前記コンテンツデータを用いて前記表示画像を再度生成する、前記（１）〜（７）のいずれか一項に記載の情報処理装置。
（９）
前記情報処理装置は、前記コンテンツデータに対して閲覧禁止を設定する設定部をさらに備え、
前記生成部は、前記選択部により選択された前記コンテンツデータが閲覧禁止である場合、前記表示画像に配置された当該コンテンツデータに対応するシンボル画像の代わりに当該コンテンツデータが閲覧禁止であることを示すシンボル画像を配置する、前記（１）〜（８）のいずれか一項に記載の情報処理装置。
（１０）
前記第１の属性は時間であり、
前記生成部は、カレンダーを示す背景画像上の前記コンテンツデータが取得された日付に対応する位置に前記シンボル画像を配置した表示画像を生成する、前記（１）〜（９）のいずれか一項に記載の情報処理装置。
（１１）
前記第１の属性は時間であり、
前記生成部は、時計の文字盤を示す背景画像上の前記コンテンツデータが取得された時間に対応する位置に前記シンボル画像を配置した表示画像を生成する、前記（１）〜（１０）のいずれか一項に記載の情報処理装置。
（１２）
前記第２の属性はキーワードであり、
前記優先度決定部は、前記コンテンツデータに関連付けられたキーワードに基づいて前記優先度を決定する、前記（１）〜（１１）のいずれか一項に記載の情報処理装置。
（１３）
前記第３の属性は時間であり、
前記選択部は、前記第３の属性の属性値が示す時刻または時刻付近に取得された前記コンテンツデータを、前記分類項目ごとに前記優先度に従い選択する、前記（１）〜（１２）のいずれか一項に記載の情報処理装置。
（１４）
前記第３の属性は画像の特徴量であり、
前記選択部は、前記第３の属性の属性値が示す特徴量を有する前記コンテンツデータを、前記分類項目ごとに前記優先度に従い選択する、前記（１）〜（１３）のいずれか一項に記載の情報処理装置。
（１５）
コンピュータに、
第１の属性に基づきコンテンツデータを複数の分類項目のいずれかに分類するステップと、
分類された前記コンテンツデータに対し、前記分類項目ごとに第２の属性に基づいて優先度を決定するステップと、
第３の属性に基づいて前記優先度に従い前記分類項目ごとにひとつの前記コンテンツデータを選択するステップと、
選択されたコンテンツデータに対応するシンボル画像を、前記第１の属性に応じたレイアウトで前記分類項目ごとに配置した表示画像を生成するステップと、
を実行させるためのプログラムが記憶された記憶媒体。
【符号の説明】
【０１５８】
１    タブレット端末
１０  表示部
１０−１〜１０−４、１０−１２〜１０−１５  一覧表示画面
１０−５〜１０−１０  属性入力画面
１０−１１  詳細表示画面
２０  入力部
２１  ＰＲＥＶキー
２２  ＮＥＸＴキー
２３  操作部
２４、２５  設定キー
２６  順位表示欄
３０  記憶部
４０  制御部
４１  設定部
４２  分類部
４３  優先度決定部
４４  選択部
４５  生成部
【図１】
2014157390.tif 000003
【図２】
2014157390.tif 000004
【図３】
2014157390.tif 000005
【図４】
2014157390.tif 000006
【図５】
2014157390.tif 000007
【図６】
2014157390.tif 000008
【図７】
2014157390.tif 000009
【図８】
2014157390.tif 000010
【図９】
2014157390.tif 000011
【図１０】
2014157390.tif 000012
【図１１】
2014157390.tif 000013
【図１２】
2014157390.tif 000014
【図１３】
2014157390.tif 000015
【図１４】
2014157390.tif 000016
【図１５】
2014157390.tif 000017
【図１６】
2014157390.tif 000018
【図１７】
2014157390.tif 000019
【図１８】
2014157390.tif 000020